(57)【要約】【課題】  洗浄中に不用意に洗浄物を落とす事がなく、洗浄中に洗う感覚が得られ、洗浄を効果的にする。またスポンジの耐久性を上げ、スポンジだけよりも汚れを落とし、かつ着、脱を迅速に行えるようにする。【解決手段】  スポンジを親指、人指し指、他各指（三箇所）を挿入できるサック部を作り、手袋状に形成する。これにより、物を掴んで洗浄する事ができ、洗浄中に洗う感覚が得られ洗浄物を不用意に落とすことを防げる。また、スポンジの両面にメッシュ状のナイロンネットを付ける。ネットを付ける際、三本ロック（三本の糸を使って縫うこと）で洗浄用手袋の側面に縫い付ける。そうすることによりスポンジだけより耐久性が上がり、メッシュ状のナイロンネットの凹凸部により汚れも効果的に落とす。かつ、着、脱の際、スポンジだけより不用意に破れる恐れがなく、迅速に行える。【選択図】  図１
2005066275.tif 000002
【特許請求の範囲】
【請求項１】
ポリウレタンなどの軟質（柔軟）な素材によって手袋の手のひら側に、対象物をこすり洗う洗浄部を形成したことを特徴とする。
【請求項２】
前記洗浄具の指部分を先端部にて折り返すとともに、洗浄物などを掴み、洗浄できるように形成したことを特徴とする。また洗浄できる範囲内の細い所、細かい物を洗浄具の先端部を使い容易に洗浄できることを特徴とする。
【請求項３】
軟質（柔軟）な手袋（手形）の表面にメッシュ状のナイロンネットを付けることにより、スポンジだけで形成するより、手袋自体の耐久性が上がる。かつ、メッシュ状のナイロンネットの凹凸部により、洗浄物の汚れを効果的に落とすことを特徴とする。また、メッシュ状のナイロンネットを付ける際、三本ロック（３本の糸を使って縫うこと）で側面に縫い付ける事により、ネットのほつれ防止、スポンジの傷み防止など耐久性がより上がることを特徴とする。
【請求項４】
３本ロックをする際、ウーリーロックミシン糸（伸縮する糸）２本と伸縮しない糸１本で形成することを特徴とする。
【請求項５】
前記で述べたように、耐久性があり、着、脱の際に不用意に破れる恐れがなく、そのまま着型なので、着、脱を迅速に行うことができる。
【発明の詳細な説明】
【発明の詳細な説明】
【技術分野】
【０００１】  本発明は、主に食器などの洗浄物を洗浄する際に使用される洗浄用手袋および洗浄具に関する。
【背景技術】
【０００２】従来、家庭や飲食店で使われているスポンジは、ただ擦り合わせて使うだけで、不用意に落としてしまうことがあった。また、カップなどを洗浄する際、従来の物だと折り曲げて洗浄しており、力加減によっては落としてしまったり、ガラスコップなどが破損してしまう恐れもあった。また、洗える範囲内の細い所、細かい所スポンジが上手く入らない所など洗浄する際、従来の物だと非常に洗浄しずらく、手間がかかる。従来の手袋状の洗浄具は着、脱に手間がかかる。スポンジだけで形成された洗浄具には耐久性がない。などといった問題があった。
【発明者が解決しようとする課題】
【０００３】上記の問題点に対し、隅々まで洗浄しやすく使い勝手の良好で不用意に洗浄物を落とし、破損させることのない洗浄具を提供することを目的とする。また、着、脱も迅速に行えスポンジの耐久性を上げることを目的とする。
【課題を解決するための手段】
【０００４】  上記課題を解決するために、本発明の洗浄用具にあっては、主に手のひら側で対象物を擦り洗う洗浄部を形成。
【０００５】  また、上記洗浄具の表面にメッシュ状のナイロンネットを付けることにより、ナイロンネットの凹凸部により汚れを落とす。ナイロンネットを付ける際、３本ロック（糸を三本使って縫うこと）で洗浄具の側面を縫い合わせる。糸は伸縮しない糸（ポリエステルなど）三本で形成すると、指の動きによっては糸が切れてしまう恐れがあるので、ウーリーロックミシン糸（ナイロン）を二本使用。これを使用することにより、指の動きに合わせて自然に動かすことができる。一本伸縮しない糸を使う訳であるが、その理由として、スポンジの変形の防止、スポンジとネットをしっかり固定できる。この事によりスポンジの耐久性が上がり、着、脱を迅速に行う事ができる。
【０００６】  本発明の洗浄用具にあっては、手のひら型に形成しており各指（三箇所）に指サック状の洗浄部を形成し、包囲形状とする。
【０００７】  上記で述べたことにより、洗浄用具が手に固定する固定部を設けられる。
【発明の効果】
【０００８】  前記構成の洗浄用手袋で、ポリウレタンフォームなどの軟質（柔軟）な素材によって手袋状に形成されており、表面にメッシュ状のナイロンネットを付けている。この洗浄具および洗浄用手袋を手に被せるだけで、食器等の洗浄物を洗浄することができる。また、洗浄中においては他方の手と共に洗浄物を保持することもでき、洗浄物を確実に保持した状態で洗浄することができる。
【０００９】  手袋本体の表面にメッシュ状のナイロンネットを付けているので、ナイロンネットの凹凸部により、容易に洗浄することができる。また、ナイロンネットを付けることにより、手袋本体の耐久性も上がる。縫い付ける際、伸縮する糸二本と伸縮しない糸一本を使い、三本ロック（糸を三本使って縫うこと）で縫うことにより、挿入時など力による負担により糸が切れてしまうなどを補う効果がある。かつ、着、脱を迅速に行える。
【００１０】  また、前記洗浄具は指部分の先端部にて折り返し、指部分を包囲するように形成されているので、洗浄物の隅や、凹部、細かな部分も容易に洗浄できる。カップなど洗浄する際にも指部分の先端部にて折り返し、他方の手でカップを回転させることにより容易に洗浄できる。
【発明を実施するための最良の形態】
【００１１】  以下この発明の実施例について、添付図面を参照にしながら説明する。図１はこの発明の洗浄具の一実施例を示す図である。この洗浄具は洗浄する際に手に付けて使用する洗浄用手袋１である。【００１２】  前記洗浄具は図２のポリウレタンフォーム２などの柔軟（軟質）なスポンジによって形成されており、親指、人さし指、他各指を挿入可能な三個のサック部２ａ、２ｂ、２ｃを備えており、１ｃｍから１、５ｃｍのスポンジを組み合わせて形成されている。【００１３】  また、サック部２ａ、２ｂ、２ｃを組み合わせる際、図３のメッシュ状のナイロンネット３を図２（Ａ）のポリウレタンフォーム２の両面に置き手の甲４の各指部分にナイロンネット３ａ、３ｂ、３ｃをサック部２ａ、２ｂ、２ｃに折り被せ、三本ロック（糸を三本使って縫う事）で図４のようにウーリーロックミシン糸５（伸縮する糸）二本とロックミシン糸６（伸縮しない糸）一本を使い側面全体を縫い合わせる。伸縮する糸５と伸縮しない糸６を使って縫う事により、挿入時など力による負担により、糸が切れてしまったりする事を補う。また、図１のように洗浄用手袋１を吊り下げるための吊り紐７を形成。【００１４】  上記洗浄用手袋１を構成するスポンジとしては、ポリウレタン、ポリ塩化ビニリデン等が好適であり、この他、植物性繊維スポンジ（セルローズスポンジ）でもよく、柔軟性のある自由に屈折できる程度のものが好ましい。【００１５】  なお、上記洗浄用手袋１においては、主に食器等の洗浄用手袋であるが、洗車する際など幅広く使用する事ができる。また、ポリウレタンフォーム２、メッシュ状ナイロンネット３、ミシン糸５、６のみで形成されているので製造の際、コストを低く押さえることができる。
【図面の簡単な説明】
【図１】  本発明の一実施例を示す図である。
【図２】  同発明のスポンジ部の形態を示す図である。
【図３】  同発明のメッシュ状ナイロンネット部の形態を示す図である。
【図４】  同発明の縫い目、糸を示す図である。
【符号の説明】
１      洗浄用手袋
２      スポンジ（ポリウレタンフォーム）
２ａ    スポンジ親指サック部
２ｂ    スポンジ人さし指サック部
２ｃ    スポンジ他各指サック部
３      メッシュ状ナイロンネット
３ａ    ナイロンネット親指サック部
３ｂ    ナイロンネット人指し指サック部
３ｃ    ナイロンネット他各指サック部
４      手の甲側
５      ウーリーロックミシン糸（ナイロン  伸縮する糸）
６      ロックミシン糸（ポリエステルなど  伸縮しない糸）
７      吊り紐
【図１】
2005066275.tif 000003
【図２】
2005066275.tif 000004
【図３】
2005066275.tif 000005
【図４】
2005066275.tif 000006